(57)【要約】【課題】収容物を入れない状態で扉の半開きを防ぎ、且つデッドボルトの施錠を確実に阻止し、収容物を入れた状態でデッドボルトの施錠を確実に行わせる。【解決手段】扉５で封止される収容室２の底部に受け壁４をばね部材３の上向き付勢のもとで昇降自在に設けたロッカ１において、受け壁と一体に昇降する凹部８を有するストッパ７と、ストッパの上昇時にばね２１の力で凹部内に進入し、且つ扉ロック用のデッドボルト１１の例えば突起１６に当接してデッドボルトの施錠方向の移動を阻止し、ストッパの下降時にストッパの壁面９に当接して凹部への進入を阻止され、且つデッドボルト１１の突起１６との当接を解除して施錠を許容するトリガ１２とを備えるロッカの錠機構を採用する。【選択図】図１
2010037914.tif 000002
【特許請求の範囲】
【請求項１】
扉で封止される収容室の底部に受け壁をばね部材の上向き付勢のもとで昇降自在に設けたロッカにおいて、該受け壁と一体に昇降する凹部を有するストッパと、該ストッパの上昇時にばねの力で該凹部内に進入し、且つ扉ロック用のデッドボルトに当接して該デッドボルトの施錠方向の移動を阻止し、該ストッパの下降時に該ストッパの壁面に当接して該進入を阻止され、且つ該デッドボルトとの当接を解除して施錠を許容するトリガとを備えることを特徴とするロッカの錠機構。
【請求項２】
前記ストッパが横断面略コ字状に形成され、前記収容室内の柱状部にスライド自在に係合したことを特徴とする請求項１記載のロッカの錠機構。
【請求項３】
前記ストッパが前記受け壁の突出部の上面で支持されたことを特徴とする請求項１又は２記載のロッカの錠機構。
【請求項４】
前記トリガが回動自在に軸支され、該トリガに突起が設けられ、該突起に当接する突起が前記デッドボルトに設けられたことを特徴とする請求項１〜３の何れかに記載のロッカの錠機構。
【発明の詳細な説明】
【技術分野】
【０００１】
本発明は、シューズロッカ等に適用され、収容物を入れないと施錠することのできない
ロッカの錠機構に関するものである。
【背景技術】
【０００２】
図７は、従来のロッカの錠機構の一形態を示すものである（特許文献１参照）。
【０００３】
このロッカの錠機構は、遊技場等のシューズロッカ５１に適用され、ロッカ５１の収容室５２の底側の受け板５３がばね（図示せず）で上向きに付勢されて奥側のヒンジ（図示せず）を支点に上下方向可動となっており、靴（図示せず）をロッカ内に収納した時のみに、扉５６を閉めてシリンダ錠５７を施錠してキー５８を抜き取ることができるようになっている。
【０００４】
扉５６には内向きの突出ピン５９が設けられており、靴を入れない状態では、受け板５３がばねの力で上昇しており、扉５６を閉めようとしても、突出ピン５９が受け板５３の前端に突き当たって、扉５６を閉めることができない。靴を入れれば、靴の自重で受け板５３が下がり、突出ピン５９との突き当たりが解除されて、扉５６を閉めることができる。
【０００５】
シリンダ錠５７を含む錠装置６１はロッカ５１の枠壁６２に設けられている。錠装置６１には、扉５６の先端の突板６３で押されて引っ込むキー操作阻止板６４が設けられている。
【０００６】
扉５６を開けた状態で阻止板６４が突出し、キー５８を施錠方向に回そうとしても、シリンダ錠５７の回転板（図示せず）が阻止板６４に突き当たって施錠が行えず、扉５６を閉じると、阻止板６４が引っ込んで回転板との干渉が解除され、施錠可能となる。
【０００７】
図８は、従来のロッカの錠機構の他の形態を示すものである（特許文献２参照）。
【０００８】
このロッカの錠機構は、同じくプール等のシューズロッカ６５に適用され、靴６６をロッカ６５に入れて施錠し、キー（図示せず）を抜き取って、キーを飲食物等の仮支払い用にも使用するシステムにおいて、ロッカ６５の収容室６７の底側の受け板６８をばね６９で上向きに傾動させ、靴６６を入れると、受け板６８に連結されたＬ字状の阻止レバー７０が回動してデッドボルト７１の突出経路から離間して、デッドボルト７１による扉７２の施錠を許容するものである。
【０００９】
この錠機構においても、施錠時にのみキーの抜き差しが可能な掛け忘れ防止型の錠装置が採用され、例えばシリンダ内のロータに多数のタンブラを半径方向に摺動するように設けたシリンダ錠において、そのシリンダ内面に軸線方向のタンブラ受け溝が施錠位置に限定して形成されている。
【特許文献１】実公平６−３６２０５号公報（図２〜図５）
【特許文献２】実開昭６３−８８１３６号公報（図７）
【発明の開示】
【発明が解決しようとする課題】
【００１０】
しかしながら、上記従来の図７のロッカの錠機構にあっては、靴（収容物）を入れない状態では、突出ピン５９が受け板５３の前端に突き当たって、扉５６を閉めることができず、扉５６が常に半開きとなって見栄えが悪いという問題や、扉５６が半開きであるので、キー５８を持たない者でも容易に（不正に）ロッカを使用できてしまうという問題があった。
【００１１】
また、図８のロッカの錠機構にあっては、靴（収容物）６６を入れない状態で、キーを施錠方向に操作した際に、デッドボルト７１が阻止レバー７０に直接突き当たるために、阻止レバー７０が変形したり、阻止レバー７０の動きが悪くなって、デッドボルト７１に対する施錠阻止性が低下し兼ねないといった懸念があった。
【００１２】
本発明は、上記した点に鑑み、収容物を入れない状態において、扉が半開きになることがなく、しかもデッドボルトによる施錠を確実に阻止することができ、収容物を入れた状態においては、デッドボルトによる施錠を確実に行わせることのできるロッカの錠機構を提供することを目的とする。
【課題を解決するための手段】
【００１３】
上記目的を達成するために、本発明の請求項１に係るロッカの錠機構は、扉で封止される収容室の底部に受け壁をばね部材の上向き付勢のもとで昇降自在に設けたロッカにおいて、該受け壁と一体に昇降する凹部を有するストッパと、該ストッパの上昇時にばねの力で該凹部内に進入し、且つ扉ロック用のデッドボルトの例えば突起に当接して該デッドボルトの施錠方向の移動を阻止し、該ストッパの下降時に該ストッパの壁面に当接して該進入を阻止され、且つ該デッドボルトの突起との当接を解除して施錠を許容するトリガとを備えることを特徴とする。
【００１４】
上記構成により、収容物を入れない状態で、受け壁がばね部材の力で上昇し、受け壁と一体にストッパが上昇し、トリガがストッパの壁面に接した状態からばね力で大きく突出してストッパの凹部内に進入し、トリガの例えば突起がデッドボルトの突起に当接してデッドボルトの施錠方向の移動を阻止する。この状態で扉を閉め、キーの施錠方向に回そうとしても、デッドボルトが動かず施錠することができない。
【００１５】
収容物を入れて扉を閉めた状態では、収容物の自重で受け壁がばね部材の力に抗して下降し、受け壁と一体にストッパが下降し、トリガがばね力に抗してストッパの壁面に当接して突出を阻止され、トリガとデッドボルトとの当接が解除され、デッドボルトの施錠方向の移動が許容される。キーの施錠方向に回すことで施錠することができる。
【００１６】
請求項２に係るロッカの錠機構は、請求項１記載のロッカの錠機構において、前記ストッパが横断面略コ字状に形成され、前記収容室内の柱状部にスライド自在に係合したことを特徴とする。
【００１７】
上記構成により、ストッパの略コの字状の周壁を、周壁のない開口側から収容室内の柱状部にワンタッチで嵌め込んで係合させることができる。
【００１８】
請求項３に係るロッカの錠機構は、請求項１又は２記載のロッカの錠機構において、前記ストッパが前記受け壁の突出部の上面で支持されたことを特徴とする。
【００１９】
上記構成により、ストッパを受け壁に容易に支持させることができる。
【００２０】
請求項４に係るロッカの錠機構は、請求項１〜３の何れかに記載のロッカの錠機構において、前記トリガが回動自在に軸支され、該トリガに突起が設けられ、該突起に当接する突起が前記デッドボルトに設けられたことを特徴とする。
【００２１】
上記構成により、トリガの突起の回動軌跡とデッドボルトの突起の進退軌跡とが交差し、トリガの突出時に両軌跡が一致して、突起同士の当接でデッドボルトの施錠方向の移動が阻止される。トリガの埋入時は両軌跡が一致せず、突起同士の当接が解除され、デッドボルトの施錠方向の移動が許容される。
【発明の効果】
【００２２】
請求項１記載の発明によれば、ロッカに収容物を入れない状態において、扉が半開きになることがなく、これにより見栄えが向上し、しかもデッドボルトによる施錠を確実に阻止して、キーの紛失を防止することができ、収容物を入れた状態においては、デッドボルトによる施錠を確実に行わせることができる。また、ストッパでデッドボルトの移動を直接阻止することがないから、ストッパの変形等の心配がなく、長期に渡って施解錠の信頼性が維持される。
【００２３】
請求項２記載の発明によれば、ストッパの略コの字状の周壁を、周壁のない開口側から収容室内の柱状部にワンタッチで嵌め込んで係合させることで、ストッパの組み付け性が向上する。
【００２４】
請求項３記載の発明によれば、ストッパを受け壁に容易に支持させることができ、ストッパの組み付け性が向上する。
【００２５】
請求項４記載の発明によれば、トリガの回動動作でデッドボルトの施錠方向の移動の阻止及び許容を省スペースで確実に行うことができる。
【発明を実施するための最良の形態】
【００２６】
図１〜図５は、本発明に係るロッカの錠機構の一実施形態を示すものである。
【００２７】
図１〜図２（正面図）の如く、このロッカの錠機構は、収容室２の底部側にばね部材３で上向きに付勢されたトレイ（受け壁）４を備えるシューズロッカ１において、ロッカ１の扉５に設けられたロックユニット６と、トレイ４と一体的に昇降する略矩形樋状の縦長のストッパ（扉検知センサ阻止部材）７と、トレイ上の靴（収容物）１０の有無によって、ストッパ７の長手方向中間部の凹部８に係合（図１）又は非係合（図２）で当接し、ロックユニット６のデッドボルト１１の移動を規制するトリガ（扉検知センサ）１２とを備えたものである。
【００２８】
トレイ４には水平な突板（突出部）１３が設けられ、突板１３の上面にストッパ７の下端面７ａが当接支持され、ストッパ７は収容室２内の横断面略コの字状の垂直な柱状部１４の外面にスライド自在に係合し、トレイ４の下降に伴って自重で下降する。ストッパ７は三方の壁部７ｂ〜７ｄで横断面略コの字状に形成され、中央の壁部７ｃから両側の壁部７ｂ，７ｄにかけて凹部８が切欠形成されている。トリガ１２はトレイ４の下降時にストッパ７の側面９に当接する。
【００２９】
ストッパ７は中央の壁部７ｃとは対向する開口７ｅ側から収容室内の柱状部１４にワンタッチで簡単に嵌め込まれ、一側の壁部７ｄの爪７ｆで柱状部１４にスライド自在に係止される。柱状部１４から容易に外れなければストッパ７の形状は横断面Ｌ字状等に適宜設定可能である。
【００３０】
図３（正面図）の如く、ロックユニット６は、ケース１５と、ケース１５のガイド１５ａに沿って水平に進退自在な板状のデッドボルト（タング）１１と、デッドボルト１１の下辺部の長手方向中央に設けられた突起１６と、キー１７の回動操作でデッドボルト１１を進退させるレバー１８と、レバー１８に連結したスナップばね１９と、突起１６に当接してデッドボルト１１の施錠方向の移動を阻止するための突起２０を有する回動自在なトリガ１２と、トリガ１２を突出方向に付勢する巻きばね（ばね）２１とを備えている。
【００３１】
レバー１８の先端のボス１８ａがデッドボルト１１の基端に係合し、レバー１８の基端のボス１８ｂにシリンダ錠２２の回転軸（キー１７と一体に回る部分）が係合連結されている。巻きばね２１に代えて板ばね等を用いることも可能である。
【００３２】
トリガ１２は図１（ａ）の如く平面視で湾曲状に形成され、ほぼ湾曲中心に軸部１２ａを有し、図３の如く軸部１２ａがケース１５の受け部１５ｂに回動自在に支持されている。トリガ１２の先端側が外部に突出し、トリガ１２の基端に上向きの突起２０が設けられている。
【００３３】
トリガ１２の突起２０は、図３，図１のトリガ１２の突出時にデッドボルト１１の突起１６の進退経路上に位置して、デッドボルト１１の施錠方向の移動（外部への突出）を阻止し、図２のトリガ１２の埋入時にデッドボルト１１の突起１６の進退経路から外れて、デッドボルト１１の施錠方向の移動を許容する。
【００３４】
すなわち、図１のロッカ未使用時にトリガ１２が巻きばね２１の力で突出してストッパ７の凹部８に進入し、その状態でキー１７を施錠方向に回そうとしても、突起１６，２０同士が当接してデッドボルト１１を施錠方向に移動させることができない。これにより使用者等がキー１７を抜き取ることができない。扉５は半開きなく完全に閉まった状態となっている（ロックはなされない）。
【００３５】
図２の如く、靴（履き物）１０を入れて靴１０の自重でトレイ４がばね部材３の付勢に抗して下がり、それと同時にストッパ７が下がる（凹部８の位置が下方にずれる）ことで、扉５を閉めた際に、トリガ１２がストッパ７の凹部８の上方の壁面９に当接してケース１５内に押し込まれ、図３のトリガ１２の突起２０がデッドボルト１１の突起１６の移動経路から外れて、使用者がキー１７を施錠方向に回すことができ、デッドボルト１１がロッカ１の垂直な枠壁２３内に係合して、扉５がロックされる。
【００３６】
使用者はキー１７を抜き出して保持する。図１の靴１０を入れない状態ではキー１７は抜き出せないから、キー１７を抜き出したことで、靴１０を入れて扉５を完全にロックしたことが認知される。
【００３７】
図４〜図５はロッカの錠機構の側面図、図６は同じく平面図である。
【００３８】
図４の未使用時（図１に対応）に扉５を閉めた状態で、ストッパ７がトレイ４と共にばね部材３の力で上昇し、トリガ１２がストッパ７の凹部８に進入し、デッドボルト１１が解錠方向に後退している。
【００３９】
本例のトレイ４は、前側のフック４ａと後側のアーム４ｂとで収容室２の底板２４に支持され、アーム４ｂは底板２４に係止され、フック４ａが底板２４の孔部に昇降自在に係合している。本例のばね部材３はコイルばねであるが、ばねの種類は適宜設定可能である。
【００４０】
図５の使用時（靴１０を入れた状態）にトレイ４が前下がりに傾斜して下降し、ストッパ７がトレイ４と一体に下降し、扉５を閉めた際に扉側のトリガ１２がストッパ７の凹部８の上方の壁面９に当接して引っ込み、デッドボルト１１の施錠方向の移動を許容する。
【００４１】
図６の如く、扉５の開き先端寄り（図示しないヒンジ軸とは反対側）にロックユニット６が配設され、トレイ４の一側部に隣接して収容室２の隔壁２５の前端の柱状部（略コの字状に折り返した部分）１４にストッパ７が昇降自在に係合し、扉５を閉めた際に、トリガ１２がストッパ７の側面９に当接して引っ込み、施錠を許容する。鎖線１２はトリガの突出状態（解錠状態）を示す。
【００４２】
なお、上記実施形態においては、ストッパ７をトレイ４と別体に形成したが、ストッパ７を合成樹脂等でトレイ４に一体に形成することも可能である。ストッパ７やトリガ１２は合成樹脂で形成することが好ましい。また、上記ロッカの錠機構はシューズ用のロッカに限らず、他の用途のロッカにも適用可能である。
【図面の簡単な説明】
【００４３】
【図１】本発明に係るロッカの錠機構の一実施形態の解錠状態を示す、（ａ）は横断面、（ｂ）は正面図である。
【図２】ロッカの錠機構の施錠状態を示す、（ａ）は横断面、（ｂ）は正面図である。
【図３】ロックユニットの一形態の内部構造を示す正面図である。
【図４】ロッカの錠機構の解錠状態を示す側面図である。
【図５】ロッカの錠機構の施錠状態を示す側面図である。
【図６】ロッカの錠機構の施錠状態を示す平面図である。
【図７】従来のロッカの錠機構の一形態を示す斜視図である。
【図８】従来のロッカの錠機構の他の形態を示す側面図である。
【符号の説明】
【００４４】
１    ロッカ
２    収容室
３    ばね部材
４    トレイ（受け壁）
５    扉
７    ストッパ
８    凹部
９    壁面
１１  デッドボルト
１２  トリガ
１３  突板（突出部）
１４  柱状部
１６  突起
２０  突起
２１  巻きばね（ばね）
【図１】
2010037914.tif 000003
【図２】
2010037914.tif 000004
【図３】
2010037914.tif 000005
【図４】
2010037914.tif 000006
【図５】
2010037914.tif 000007
【図６】
2010037914.tif 000008
【図７】
2010037914.tif 000009
【図８】
2010037914.tif 000010